(57)【要約】【課題】  国籍の違うユーザーや、権限の違うユーザーなどが大勢でＭＦＰをシェアして使用するような場合でも、各ユーザーが簡単な操作でＭＦＰを操作することことが出来る画像形成装置を提供する。【解決手段】  画像データを入力する画像データ入力手段と、前記画像データ入力手段から入力された画像データに所定の画像処理を施し、出力する画像データ出力手段と、様々な設定を指示する操作手段と、装置全体の動作を制御する制御手段と、無線タグと通信し、データの書きこみ或いは読み出しを行う無線タグリーダライタと、を有する画像形成装置において、前記無線タグリーダライタによりユーザーが身に着けた無線タグに格納されたＩＤを読むことでユーザーを認識し、ユーザーに応じて前記操作手段の画面表示を切り替えることを特徴とする。【選択図】        図１
2006250981.tif 000002
【特許請求の範囲】
【請求項１】
画像データを入力する画像データ入力手段と、
前記画像データ入力手段から入力された画像データに所定の画像処理を施し、出力する画像データ出力手段と、
様々な設定を指示する操作手段と、
装置全体の動作を制御する制御手段と、
無線タグと通信し、データの書きこみ或いは読み出しを行う無線タグリーダライタと、を有する画像形成装置において、
前記無線タグリーダライタによりユーザーが身に着けた無線タグに格納されたＩＤを読むことでユーザーを認識し、
ユーザーに応じて前記操作手段の画面表示を切り替えることを特徴とする画像形成装置。
【請求項２】
請求項１に記載の画像形成装置において、
ユーザーにより前記操作手段の画面表示の言語モードを切り替えることを特徴とする画像形成装置。
【請求項３】
請求項１に記載の画像形成装置において、
ユーザーにより前記操作手段の画面表示を機能を制限する画面表示に切り替えることを特徴とする画像形成装置。
【請求項４】
請求項１に記載の画像形成装置において、
ユーザーにより前記操作手段に表示される画面の表示順を切り替えることを特徴とする画像形成装置。
【請求項５】
請求項４に記載の画像形成装置において、
ＳＥＮＤにおいて宛先を設定する際のアドレス帳の表示順がユーザーに関連するグループを上位の階層に切り替えることを特徴とする画像形成装置。
【請求項６】
請求項１に記載の画像形成装置において、
前記操作手段にユーザーを認識するためのユーザー認識手段を含み、
前記ユーザー認識手段からの設定によりユーザーを認識するか、あるいは前記無線タグリーダライタによりユーザーを認識するかしないかと、画像形成装置の操作を許可しないことを特徴とする画像形成装置。
【発明の詳細な説明】
【技術分野】
【０００１】
本発明は、無線タグに対して読み取り、及び書き込みを行う無線タグリーダライタを備えた複写機等の画像形成装置に関するものである。
【背景技術】
【０００２】
従来、ユーザーは画像形成装置を操作する際、操作パネルからの操作で必要な設定を行っている。また、使用頻度の高い動作モードを簡単な操作で設定することができるように、上位の階層で設定できるようにすることも操作パネルからの操作で行うことも可能である。
【特許文献１】特開平１０−１８７３５１号公報
【発明の開示】
【発明が解決しようとする課題】
【０００３】
しかしながら、画像形成装置は大勢のユーザーでシェアして使用することが多い。ユーザーによって使用頻度の高い動作モードは異なる場合が多く、様々な国籍のユーザーによりシェアされる場合もある。そのため、様々なユーザーにとって使いやすい画像形成装置を提供することが課題である。また、ユーザーによって権限を設定できるようにしたいという要望もある。
【０００４】
本発明は、上述の問題点に着目してなされたものであって、国籍の違うユーザーや、権限の違うユーザーなどが大勢でＭＦＰをシェアして使用するような場合でも、各ユーザーが簡単な操作でＭＦＰを操作することことが出来る画像形成装置を提供することを目的とする。
【課題を解決するための手段】
【０００５】
上記課題を解決するため、本発明の画像形成装置は、画像データを入力する画像データ入力手段と、画像データ入力手段から入力された画像データに所定の画像処理を施し、出力する画像データ出力手段と、様々な設定を指示する操作手段と、装置全体の動作を制御する制御手段と、無線タグと通信し、データの書きこみ或いは読み出しを行う無線タグリーダライタと、を有する画像形成装置において、無線タグリーダライタによりユーザーが身に着けた無線タグに格納されたＩＤを読むことでユーザーを認識し、ユーザーに応じて操作手段の画面表示を切り替えることを特徴とする。
【発明の効果】
【０００６】
本発明によれば、ユーザーが携帯したＩＤカードに貼り付けられた無線タグからユーザーＩＤを読み取り画像形成装置を操作するユーザーの国籍や、権限を判断し、ユーザーに適した画面表示を行うことでどのユーザーに対しても画像形成装置の操作をより簡単な操作で行うことができるようになる。
【発明を実施するための最良の形態】
【０００７】
以下本発明を実施するための最良の形態を、実施例により詳しく説明する。
【実施例】
【０００８】
［画像形成装置の構成］
図１〜図１０を用いて画像形成装置の構成について説明する。
【０００９】
図１は画像形成装置におけるデータの流れを示したブロック図である。
【００１０】
画像読み取りを行うスキャナ部１０１とその画像データを画像処理するスキャナＩＰ部１０２、コア部１０６で画像信号を一時保存したり、経路を決定する。
【００１１】
次に、コア部１０６から出力された画像データは、プリンタＩＰ部１０７及び、ＰＷＭ部１０８を経由して画像形成を行うプリンタ部１０９に送られる。プリンタ部１０９でプリントアウトされたシートはフィニッシャ部１１０へ送り込まれ、シートの仕分け処理やシートの仕上げ処理が行われる。
【００１２】
［スキャナ部１０１の構成］
図２を用いてスキャナ部１０１の構成を説明する。２０１は原稿台ガラスであり、読み取られるべき原稿２０２が置かれる。原稿２０２は照明ランプ２０３により照射され、その反射光はミラー２０４、２０５、２０６を経て、レンズ２０７によりＣＣＤ２０８上に結像される。ミラー２０４、照明ランプ２０３を含む第１ミラーユニット２１０は速度ｖで移動し、ミラー２０５、２０６を含む第２ミラーユニット２１１は速度１／２ｖで移動することにより、原稿２０２の全面を走査する。第１ミラーユニット２１０及び第２ミラーユニット２１１はモータ２０９により駆動する。
【００１３】
［スキャナＩＰ部１０２の構成］
図３を用いてスキャナＩＰ部１０２について説明する。入力された光学的信号は、ＣＣＤセンサ２０８により電気信号に変換される。このＣＣＤセンサ２０８はＲＧＢ３ラインのカラーセンサであり、ＲＧＢそれぞれの画像信号としてＡ／Ｄ変換部３０１に入力される。ここでゲイン調整、オフセット調整をされた後、Ａ／Ｄコンバータで、各色信号毎に８ｂｉｔのデジタル画像信号Ｒ０，Ｇ０，Ｂ０に変換される。その後、３０２のシェーディング補正で色毎に、基準白色板の読み取り信号を用いた、公知のシェーディング補正が施される。更に、ＣＣＤセンサ２０８の各色ラインセンサは、相互に所定の距離を隔てて配置されているため、ラインディレイ調整回路（ライン補間部）３０３において、副走査方向の空間的ずれが補正される。
【００１４】
次に、入力マスキング部３０４は、ＣＣＤセンサ２０８のＲ，Ｇ，Ｂフィルタの分光特性で決まる読取色空間を、ＮＴＳＣの標準色空間に変換する部分であり、ＣＣＤセンサ２０８の感度特性／照明ランプのスペクトル特性等の諸特性を考慮した装置固有の定数を用いた３×３のマトリックス演算を行い、入力された（Ｒ０，Ｇ０，Ｂ０）信号を標準的な（Ｒ，Ｇ，Ｂ）信号に変換する。
更に、輝度／濃度変換部（ＬＯＧ変換部）３０５はルックアップテーブル（ＬＵＴ）ＲＡＭにより、構成され、ＲＧＢの輝度信号がＣ１，Ｍ１，Ｙ１の濃度信号になるように変換される。
【００１５】
［ＦＡＸ部１０３の構成］
図４を用いてＦＡＸ部１０３について説明する。まず、受信時には、電話回線から来たデータをＮＣＵ部４０１で受け取り電圧の変換を行い、モデム部４０２の中の復調部４０４でＡ／Ｄ変換及び復調操作を行った後、伸張部４０６でラスタデータに展開する。一般にＦＡＸでの圧縮伸張にはランレングス法などが用いられる。ラスタデータに変換された画像は、メモリ部４０７に一時保管され、画像データに転送エラーがないことを確認後、コア部１０６へ送られる。
【００１６】
次に、送信時には、コア部よりやってきたラスタイメージの画像信号に対して、圧縮部４０５でランレングス法などの圧縮を施し、モデム部４０２内の変調部４０３にてＤ／Ａ変換及び変調操作を行った後、ＮＣＵ部４０１を介して電話回線へと送られる。
【００１７】
［ＮＩＣ部１０４の構成］
図５−１を用いてＮＩＣ部１０４について説明する。ネットワークに対してのインターフェイスの機能を持つのが、このＮＩＣ部１０４であり、例えば１０Ｂａｓｅ−Ｔ／１００Ｂａｓｅ−ＴＸなどのＥｔｈｅｒｎｅｔ（登録商標）ケーブルなどを利用して外部からの情報を入手したり、外部へ情報を流す役割を果たす。
【００１８】
外部より情報を入手する場合は、まず、トランス部５０１で電圧変換され、５０２のＬＡＮコントローラ部に送られる。ＬＡＮコントローラ部５０２は、その内部に第１バッファメモリ（不図示）を持っており、その情報が必要な情報か否かを判断した上で、第２バッファメモリ（不図示）に送った後、コア部１０６に信号を流す。
【００１９】
次に、外部に情報を提供する場合には、コア部１０６より送られてきたデータは、ＬＡＮコントローラ部５０２で必要な情報を付加して、トランス部５０１を経由してネットワークに接続される。
【００２０】
［専用Ｉ／Ｆ部１０５の構成］
また、専用Ｉ／Ｆ部１０５は、カラー画像形成装置とのインターフェイス部分でＣＭＹＫそれぞれ多値ビットがパラレルに送られているインターフェイスであり、４色ｘ８ｂｉｔの画像データと通信線からなる。もし、Ｅｔｈｅｒｎｅｔ（登録商標）ケーブルを利用して送信すると、カラー画像形成装置に見合ったスピードで出力できない点と、ネットワークに接続された他のデバイスのパフォーマンスも犠牲になる点からこのような専用のパラレルインターフェイスを用いている。
【００２１】
［コア部１０６の構成］
図５−２を用いてコア部１０６について説明する。コア部１０６のバスセレクタ部５１１は、画像形成装置の利用における、いわば交通整理の役割を担っている。すなわち、複写機能、ネットワークスキャン、ネットワークプリント、ファクシミリ送信／受信、あるいは、ディスプレイ表示など、各種機能に応じてバスの切り替えを行うところである。
【００２２】
以下に各機能を実行するためのパス切り替えパターンを示す。
・複写機能：スキャナ１０１→コア１０６→プリンタ１０９
・ネットワークスキャン：スキャナ１０１→コア１０６→ＮＩＣ部１０４
・ネットワークプリント：ＮＩＣ部１０４→コア１０６→プリンタ１０９
・ファクシミリ送信機能：スキャナ１０１→コア１０６→ＦＡＸ部１０３
・ファクシミリ受信機能：ＦＡＸ部１０３→コア１０６→プリンタ１０９
・ディスプレイ表示機能：スキャナ１０１又はＦＡＸ部１０３又はＮＩＣ部１０４→コア１０６→ディスプレイ部２１２
次に、バスセレクタ部５１１を出た画像データは、圧縮部５１２、ハードディスク（ＨＤＤ）などの大容量メモリからなるメモリ部５１３及び、伸張部５１４を介してプリンタ部１０９へ送られる。圧縮部５１２で用いられる圧縮方式は、ＪＰＥＧ，ＪＢＩＧ，ＺＩＰなど一般的なものを用いればよい。圧縮された画像データは、ジョブ毎に管理され、ファイル名、作成者、作成日時、ファイルサイズなどの付加データと一緒に格納される。
【００２３】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができない様にするための機能である。記憶されているジョブのプリントアウトの指示が行われた場合には、パスワードによる認証を行った後にメモリ部５１３より呼び出し、画像伸張を行ってラスタイメージに戻してプリンタ部１０７に送られる。
【００２４】
コア部１０６は操作パネル１８０と接続されており、操作パネルからの操作で動作モードの詳細な設定を行うことができるように構成されている。
【００２５】
また、コア部１０６は無線タグリーダライタ１１１１によりＲＤされたユーザーＩＤの情報に応じて操作パネル１８０の画面表示を切り替えることもできるように構成されている。
【００２６】
［プリンタＩＰ部１０７の構成］
６０１は出力マスキング／ＵＣＲ回路部であり、Ｍ１，Ｃ１，Ｙ１信号を画像形成装置のトナー色であるＹ，Ｍ，Ｃ，Ｋ信号にマトリクス演算を用いて変換する部分であり、ＣＣＤセンサ２０８で読み込まれたＲＧＢ信号に基づいたＣ１，Ｍ１，Ｙ１，Ｋ１信号をトナーの分光分布特性に基づいたＣ，Ｍ，Ｙ，Ｋ信号に補正して出力する。
【００２７】
次に、ガンマ補正部６０２にて、トナーの色味諸特性を考慮したルックアップテーブル（ＬＵＴ）ＲＡＭを使って画像出力のためのＣ，Ｍ，Ｙ，Ｋデータに変換されて、空間フィルタ６０３では、シャープネスまたは、スムージングが施された後、画像信号はコア部１０６へと送られる。
【００２８】
［ＰＷＭ部１０８の構成］
図７によりＰＷＭ部１０８を説明する。プリンタＩＰ部１０７を出たイエロー（Ｙ）、マゼンタ（Ｍ）、シアン（Ｃ）、ブラック（Ｋ）の４色に色分解された画像データ（白黒画像形成装置の場合は、単色となる）はそれぞれのＰＷＭ部１０８を通ってそれぞれ画像形成される。７０１は三角波発生部、７０２は入力されるデジタル画像信号をアナログ信号に変換するＤ／Ａコンバータ（Ｄ／Ａ変換部）である。三角波発生部７０１からの信号（図７−２ａ）及びＤ／Ａコンバータ７０２からの信号（図７−２ｂ）は、コンパレータ７０３で大小比較されて、図７−２ｃのような信号となってレーザ駆動部７０４に送られ、ＣＭＹＫそれぞれが、ＣＭＹＫそれぞれのレーザ７０５でレーザビームに変換される。
そして、ポリゴンスキャナ８１３で、それぞれのレーザビームを走査して、それぞれの感光ドラム８１７，８２１，８２５，８２９に照射される。
【００２９】
［プリンタ部１０９の構成］
図８に、プリンタ部の概観図を示す。８１３は、ポリゴンミラーであり、４つの半導体レーザ７０５より発光された４本のレーザ光を受ける。その内の１本はミラー８１４、８１５、８１６をへて感光ドラム８１７を走査し、次の１本はミラー８１８、８１９、８２０をへて感光ドラム８２１を走査し、次の１本はミラー８２２、８２３、８２４をへて感光ドラム８２５を走査し、次の１本はミラー８２６、８２７、８２８をへて感光ドラム８２９を走査する。
【００３０】
一方、８３０はイエロー（Ｙ）のトナーを供給する現像器であり、レーザ光に従い、感光ドラム８１７上にイエローのトナー像を形成し、８３１はマゼンタ（Ｍ）のトナーを供給する現像器であり、レーザ光に従い、感光ドラム８２１上にマゼンタのトナー像を形成し、８３２はシアン（Ｃ）のトナーを供給する現像器であり、レーザ光に従い、感光ドラム８２５上にシアンのトナー像を形成し、８３３はブラック（Ｋ）のトナーを供給する現像器であり、レーザ光に従い、感光ドラム８２９上にマゼンタのトナー像を形成する。以上４色（Ｙ，Ｍ，Ｃ，Ｋ）のトナー像がシートに転写され、フルカラーの出力画像を得ることができる。
【００３１】
シートカセット８３４、８３５および、手差しトレイ８３６のいずれかより給紙されたシートは、レジストローラ８３７を経て、転写ベルト８３８上に吸着され、搬送される。給紙のタイミングと同期がとられて、予め感光ドラム８１７、８２１、８２５、８２９には各色のトナーが現像されており、シートの搬送とともに、トナーがシートに転写される。各色のトナーが転写されたシートは、分離され、搬送ベルト８３９により搬送され、定着器８４０によって、トナーがシートに定着される。定着器８４０を抜けたシートはフラッパ８５０により一旦下方向へ導かれてシートの後端がフラッパ８５０を抜けた後、スイッチバックさせて排出する。これによりフェイスダウン状態で排出され、先頭頁から順にプリントしたときに正しいページ順となる。
【００３２】
尚、４つの感光ドラム８１７、８２１、８２５、８２９は、距離ｄをおいて、等間隔に配置されており、搬送ベルト８３９により、シートは一定速度ｖで搬送されており、このタイミング同期がなされて、４つの半導体レーザ７０５は駆動される。
【００３３】
［フィニッシャ部１１０の構成］
図９に、フィニッシャ部の概観図を示す。プリンタ部１０９の定着部８４０を出たシートは、フィニッシャ部１１０に入る。フィニッシャ部１１０には、サンプルトレイ９０１及びスタックトレイ９０２があり、ジョブの種類や排出されるシートの枚数に応じて切り替えて排出される。
【００３４】
ソート方式には２通りあり、複数のビンを有して各ビンに振り分けるビンソート方式と、後述の電子ソート機能とビン（または、トレイ）を奥手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００３５】
更に、スタックトレイ９０２に排出する場合には、シートが排出される前のシートをジョブ毎に蓄えておき、排出する直前にステープラ９０５にてバインドすることも可能である。
【００３６】
そのほか、上記２つのトレイに至るまでに、紙をＺ字状に折るためのＺ折り機９０４、ファイル用の２つ（または３つ）の穴開けを行うパンチャ９０６があり、ジョブの種類に応じてそれぞれの処理を行う。
【００３７】
更に、サドルステッチャ９０７は、シートの中央部分を２ヶ所バインドした後に、シートの中央部分をローラに噛ませることによりシートを半折りし、週刊誌やパンフレットのようなブックレットを作成する処理を行う。サドルステッチャ９０７で製本されたシートは、ブックレットトレイ９０８に排出される。
【００３８】
また、インサータ９０３はトレイ９１０にセットされたシートをプリンタへ通さずにトレイ９０１、９０２、９０８のいずれかに送るためのものである。これによってフィニッシャ１１０に送り込まれるシートとシートの間にインサータ９０３にセットされたシートをインサート（中差し）することができる。インサータ９０３のトレイ９１０にはユーザーによりフェイスアップの状態でセットされるものとし、ピックアップローラ９１１により最上部のシートから順に給送する。従って、インサータ９０３からのシートはそのままトレイ９０１、９０２へ搬送することによりフェイスダウン状態で排出される。サドルステッチャ９０７へ送るときには、一度パンチャ９０６側へ送り込んだ後スイッチバックさせて送り込むことによりフェースの向きを合わせる。
【００３９】
［ディスプレイ部２１２の構成］
図１０に、ディスプレイ部２１２を示す。コア部１０６より出力された画像信号は、ＣＭＹＫデータであるため、逆ＬＯＧ変換部１００１でＲＧＢデータに変換する必要がある。次に、出力されるＣＲＴなどのディスプレイ装置１００４の色の特性に合わせるためにガンマ変換部１００２でルックアップテーブルを使用して出力変換を行う。変換された画像データは、一度メモリ部１００３に格納されて、ＣＲＴなどのディスプレイ装置１００４によって表示させる。
【００４０】
ここで、ディスプレイ部２１２を使用するのは、出力画像を予め確認するプレビュー機能や出力する画像が意図したものと間違いないか検証するプルーフ機能、あるいは、プリントの必要がないかを確認するなどの場合にプリントシートの無駄を省く為である。
【００４１】
［操作部１８０の構成］
図１３に操作部１８０の構成を示す。ＬＣＤ表示部（３００１）は、ＬＣＤ上にタッチパネルシートが貼られており、システムの操作画面を表示するとともに、表示してあるキーが押されるとその位置情報をコア部１０６のＣＰＵに伝える。スタートキー（３００２）は原稿画像の読み取り動作を開始する時などに用いる。スタートキー中央部には、緑と赤の２色のＬＥＤがあり、その色によってスタートキーが使える状態にあるかどうかを示す。ストップキー（３００３）は稼働中の動作を止める働きをする。リセットキー（３００４）は操作部からの設定を初期化するときに用いる。
【００４２】
ＩＤキー（３００５）はユーザー認証により画像形成装置の使用許可を設定する際と、操作が終了した際にユーザー認証画面に戻す際に用いる。
【００４３】
以下、操作部の各画面について詳細に説明する。
【００４４】
［操作画面］
本発明の装置が提供する機能は、Ｃｏｐｙ／Ｓｅｎｄ／Ｒｅｔｒｉｅｖｅ／Ｔａｓｋｓ／Ｍａｎａｇｅｍｅｎｔ／Ｃｏｎｆｉｇｕｒａｔｉｏｎの６つの大きなカテゴリーに分かれており、これらは操作画面（３０１０）上の上部に表示される６つのメインタブ（ＣＯＰＹ／ＳＥＮＤ／ＲＥＴＲＥＩＶＥ／ＴＡＳＫＳ／ＭＧＭＴ／ＣＯＮＦＩＧ）（３０１１〜３０１６）に対応している。
【００４５】
これらのメインタブを押すことにより、各カテゴリーの画面への切り替えが行われる。他カテゴリーへの切り替えが許可されない場合は、メインタブの表示色が変わり、メインタブを押しても反応しない。
【００４６】
Ｃｏｐｙは自機が有するスキャナとプリンタを使用して通常のドキュメント複写を行う機能と、自機が有するスキャナとネットワークで接続されたプリンタを使用してドキュメントの複写を行う機能（リモートコピー）を含む。Ｓｅｎｄは自機が有するスキャナに置かれたドキュメントを、電子メール、リモートプリンタ、ファックス、ファイル転送（ＦＴＰ）およびデータベースに転送する機能であり、宛先を複数指定することが可能である。Ｒｅｔｒｉｅｖｅは外部にあるドキュメントを取得し、自機が有するプリンタで印刷する機能である。ドキュメントの取得手段としてＷＷＷ、電子メール、ファイル転送およびファックスの使用が可能である。Ｔａｓｋｓはファックスやインターネットプリントなどの外部から送られるドキュメントを自動処理し、定期的にＲｅｔｒｉｅｖｅを行うためのタスクの生成、管理を行う。Ｍａｎａｇｅｍｅｎｔはジョブ・アドレス帳・ブックマーク・ドキュメント・アカウント情報などの管理を行う。Ｃｏｎｆｉｇｕｒａｔｉｏｎでは自機に関しての設定（ネットワーク、時計など）を行う。
【００４７】
以下、これらの機能設定を行う方法をＬＣＤ画面表示の例を使用して説明する。
【００４８】
［ＣＯＰＹ画面］
ＣＯＰＹ画面表示時にスタートボタンを押すと、スキャナが動作し、選択されているプリンタから画面上に表示されている各設定パラメータに応じた複写物が出力される。
【００４９】
ＣＯＰＹメイン画面（３１００）はプリンタ選択ボタン（３１０３）およびプリンタ表示領域（３１０２）、Ｉｍａｇｅ  Ｑｕａｌｉｔｙ選択ボタン（３１０５）およびＩｍａｇｅ  Ｑｕａｌｉｔｙ表示領域（３１０４）、従来の複写機と同様のコピーパラメータ表示（３１０１）、拡大縮小設定ボタン（３１０６，３１０７）、紙選択ボタン（３１０８）、ソータ設定ボタン（３１１０）、両面コピー設定ボタン（３１１２）、濃度インジケータおよび濃度設定ボタン（３１０９）、テンキー（３１１４）から構成される。
【００５０】
プリンタ選択ボタン（３１０３）を押すと、使用可能なプリンタ（自機が有するプリンタおよびネットワークで接続されたプリンタ）の一覧（３１２０）がプルダウン表示される。一覧の中から所望のプリンタを選択すると、一覧が消え、プリンタ表示領域（３１０２）に選択したプリンタ名が表示される。
【００５１】
Ｉｍａｇｅ  Ｑｕａｌｉｔｙ設定ボタン（３１０５）を押すと、Ｉｍａｇｅ  Ｑｕａｌｉｔｙ一覧（３１２５）が表示され、その中から所望のＩｍａｇｅ  Ｑｕａｌｉｔｙを選択することができる。
【００５２】
前述のコピーパラメータ設定ボタンを押すと、それぞれに対応した設定を行うためのサブ画面（拡大縮小設定：３１３０、紙選択：３１４０、ソータ設定：３１５０、両面コピー設定：３１６０）が表示され、従来の複写機での設定と同様にパラメータを設定することができる。また濃度設定も従来の複写機と同様に操作することができる。
【００５３】
［ＳＥＮＤ画面］
ＳＥＮＤ画面表示時にスタートボタンが押されると、スキャナが動作し、読み取った画像データを設定された宛先に指定された送信方法で送信する処理が開始される。
【００５４】
ＳＥＮＤメイン画面（３２００）は、宛先表示領域（３２０２）、詳細宛先数表示領域（３２０３）、宛先スクロールボタン（３２０４）、アドレスブックボタン（３２０８）、Ｎｅｗボタン（３２０９）、Ｅｄｉｔボタン（３２１０）、Ｄｅｌｅｔｅボタン（３２１１）、Ｓｕｂｊｅｃｔ入力領域（３２０５）、Ｍｅｓｓａｇｅ入力領域（３２０６）、Ｆｉｌｅ  Ｎａｍｅ入力領域（３２０７）、Ｃｏｖｅｒ  ｐａｇｅチェックボタン（３２１２）、Ｐｕｔ  Ｉｎｔｏ  ＨＤチェックボタン（３２１３）、Ｐｒｉｎｔ  Ｏｕｔチェックボタン（３２１４）、Ｓｃａｎ  Ｓｅｔｔｉｎｇボタン（３２１５）から構成される。
【００５５】
リセットを含む初期化時には３２０１に示すように、宛先表示領域には１つの宛先も表示されず、操作説明画面が表示される。宛先表示領域（３２０２）には入力された宛先の一覧が表示される。入力は順次末尾に追加される。詳細宛先数表示領域（３２０３）には現在設定されている宛先数が表示される。宛先表示領域からある宛先を選択した後、Ｄｅｌｅｔｅボタン（３２１１）を押すと、選択されていた宛先が削除される。
【００５６】
Ｓｕｂｊｅｃｔ入力領域（３２０５）、Ｍｅｓｓａｇｅ入力領域（３２０６）、Ｆｉｌｅ  Ｎａｍｅ入力領域（３２０７）を押すと、フルキーボードが表示され、それぞれの入力が可能になる。
【００５７】
［アドレスブックサブ画面］
Ａｄｄｒｅｓｓ  Ｂｏｏｋボタン（３２０８）を押すと、アドレスブックサブ画面（３２２０）が表示される。
【００５８】
アドレス帳表示領域（３２２１）で選択マーク（３２３２）を付けられた宛先は、ＯＫボタン（３２３１）を押すことにより、ＳＥＮＤメイン画面の宛先表示領域（３２０２）に追加される。アドレス帳の表示はソート項目設定ボタン（３２２４〜３２２６）を押すことによりクラス別、名前昇順、名前降順にソートされる。項目選択件数表示領域（３２２７）には選択マークの付けられた項目数を表示する。ＯＫボタン（３２３１）またはキャンセルボタン（３２３０）が押されると、アドレスブックサブ画面はクローズされ、ＳＥＮＤメイン画面が表示される。
【００５９】
アドレス帳の中にある１つの項目を選択した状態でＤｅｔａｉｌボタン（３２２９）を押すと、Ｄｅｔａｉｌサブ画面（３２３５）が表示される。Ｄｅｔａｉｌサブ画面には選択された項目の情報としてアドレス帳から得られるすべての情報が表示される。
【００６０】
［詳細宛先サブ画面］
ＳＥＮＤメイン画面のＮｅｗボタン（３２０９）を押すとＰｅｒｓｏｎクラス詳細サブ画面（３２７０）が表示され、新しい宛先の設定が可能になる。宛先の入力は送信方法（電子メール、ファックス、プリンタ、ＦＴＰ）に対応した送信方法選択ボタン（３２７１〜３２７４）を押すか、詳細宛先入力領域（３２７５〜３２７８）を押すと、ファックスの場合はテンキーボード（３０５０）、その他はフルキーボード（３０４０）が表示され、入力可能になる。３２７９〜３２８２はそれぞれの送信方法の送信オプションを行うためのボタンであるが、ここでは詳細な説明は省略する。
【００６１】
ＳＥＮＤメイン画面でＰｅｒｓｏｎクラスの宛先が選択されている状態でＥｄｉｔボタン（３２１０）が押された場合もＰｅｒｓｏｎクラス詳細サブ画面（３２９０）が表示される。詳細宛先入力領域（３２７５〜３２７８）の該当する領域に、選択された宛先の詳細が表示され、前述した方法でキーボードを表示すると、宛先の編集が可能になる。
【００６２】
ＳＥＮＤメイン画面でＤａｔａ  Ｂａｓｅクラスの宛先が選択されている状態でＥｄｉｔボタン（３２１０）が押された場合、Ｄａｔａ  Ｂａｓｅクラス詳細サブ画面（３３１０）が表示される。データベースクラス詳細サブ画面にはデータベース名（３３１１）、フォルダリスト（３３１２）が表示される。
【００６３】
ＳＥＮＤメイン画面でＧｒｏｕｐクラスの宛先が選択されている状態でＥｄｉｔボタン（３２１０）が押された場合Ｇｒｏｕｐクラス詳細サブ画面（３３２０）が表示される。Ｇｒｏｕｐクラス詳細サブ画面にはグループメンバー表示（３３２１）がされる。
【００６４】
［ＨＤ  ＳＥＴＴＩＮＧサブ画面］
Ｐｕｔ  Ｉｎｔｏ  ＨＤチェックボタン（３２１３）を押すと、ハードディスクに送信するための設定を行うＨＤ  ＳＥＴＴＩＮＧサブ画面（３３３０）が表示される。詳細説明は省略する。
【００６５】
また、各カテゴリーに共通のＰｕｔ  Ｉｎｔｏ  ＨＤチェックボタン（３４０６）を押すと、  ＨＤ  Ｓｅｔｔｉｎｇサブ画面（３３３０）が表示される。機能はＳｅｎｄのＨＤ  Ｓｅｔｔｉｎｇサブ画面と同様である。
【００６６】
［Ｐｒｉｎｔ  Ｏｕｔサブ画面］
Ｐｒｉｎｔ  Ｏｕｔチェックボタン（３２１４）を押すと、プリントアウトサブ画面（３３４０）が表示される。プリントアウトサブ画面ではプリント枚数、紙サイズ、拡大縮小率、両面印刷、ソート、解像度などを設定する。紙サイズ選択ボタン（３３４５）を押すと、紙サイズの一覧（３３６０）が表示され、そこから選択する。ソータ選択ボタン（３３５０）を押すと、選択可能なソータ一覧（３３６５）が表示される。
【００６７】
［Ｓｃａｎ  Ｓｅｔｔｉｎｇサブ画面］
Ｓｃａｎ  Ｓｅｔｔｉｎｇボタン（３２１５）を押すと、Ｓｃａｎ  Ｓｅｔｔｉｎｇサブ画面（３３７０）が表示される。Ｓｃａｎ  Ｓｅｔｔｉｎｇサブ画面内のＰｒｅｓｅｔモード選択領域（３３７１）からスキャン設定を１つ選択すると、それに対応する予め設定された解像度、スキャンモード、濃度がそれぞれの表示領域（３３７７、３３７９、３３８１）に表示される。これらの値は手動で変えることが可能である。
【００６８】
［ＲＥＴＲＩＥＶＥ画面］
ＲＥＴＲＩＥＶＥメイン画面（３４００）にはＷＷＷ（３４０１）、Ｅ−ｍａｉｌ（３４０２）、Ｆａｘ（３４０３）、ＦＴＰ（３４０４）のサブタブおよび各サブカテゴリーで共通に使用されるＰＵＴ  ＩＮＴＯ  ＨＤチェックボタン（３４０５）、ＰＲＩＮＴ  ＳＥＴＴＩＮＧボタン（３４０６）が表示される。サブタブを押すことによって対応するＷＷＷ、Ｅ−ｍａｉｌ、Ｆａｘ、ＦＴＰの各サブ画面が表示される。リセットを含む初期化時にはＷＷＷサブ画面が表示される。
【００６９】
［Ｅ−ｍａｉｌサブ画面］
Ｅ−ｍａｉｌサブ画面（３４３０）ではＥ−ｍａｉｌを受け取るための設定を行う。各入力領域（３４３１〜３４３３）を押すとフルキーボード（３０４０）が表示され、入力可能になる。
【００７０】
［Ｆａｘサブ画面］
Ｆａｘサブ画面（３４４０）ではファックス番号の入力を行う。入力領域（３４４１）を押すと、テンキーボード（３０５０）が表示され、ファックス番号入力が可能になる。
【００７１】
［ＦＴＰ  Ｓｅｒｖｅｒサブ画面］
ＦＴＰ  Ｓｅｒｖｅｒサブ画面（３４５０）ではサーバーからデータを受け取るための設定を行う。各入力領域（３４５１〜３４５３）を押すとフルキーボード（３０４０）が表示され、入力可能になる。
【００７２】
［ＴＡＳＫＳ画面］
ＴＡＳＫＳ画面が表示されている状態でスタートキーが押されると、ＴＡＳＫＳ画面上で設定されたパラメータに従って、自動的なＲＥＴＲＩＥＶＥ動作が実行される。
【００７３】
ＴＡＳＫＳメイン画面（３５００）にはＷＷＷ、Ｅ−ｍａｉｌ、Ｐｒｉｎｔ  Ｒｅｃｅｉｖｅ、Ｆａｘ  Ｒｅｃｅｉｖｅ、Ｆａｘ  Ｐｏｌｌｉｎｇのサブタブ（３５０１〜３５０５）が表示される。リセットを含む初期化時にはＷＷＷサブ画面（３５００）が表示される。
【００７４】
［無線タグの説明］
本発明で使用している無線タグはユーザーが携帯できるＩＤカード等に貼り付けることのできる充分微小な形状である。
【００７５】
図１１は無線タグおよび無線タグとの通信を行うリーダライタ装置のブロック図である。１１０１は無線タグであり、ユーザーが携帯するＩＤカードに貼り付けられている。１１１１は無線タグリーダライタであり、本発明の画像形成装置に取り付けられている。
【００７６】
まず無線タグがリーダライタからデータを受信する場合について説明する。
リーダライタはＣＰＵ１２１３、変調復調回路１２１２及び変調・キャリア発生回路１２１１などから構成され、データを変調し、送信することができるようになっている。
【００７７】
リーダライタから変調された信号はアンテナ１２１０、アンテナ１２０１を介して無線タグ側へ送信される。無線タグのアンテナ１２０１に生じた起電力は整流回路１２０２で整流されレギュレータ１２０３によって無線タグ内の電源が生成されると同時に変調復調回路１２０４で復調され記憶素子１２０５へ復調されたデータが書き込まれる。
【００７８】
次に無線タグがデータを送信する場合は、リーダライタから発生されたキャリアに記憶素子１２０５から読み出したデータによって変調した信号を乗せて送信する。
【００７９】
尚、リーダライタは、ユーザーが画像形成装置の前で操作する際、ユーザーが携帯するＩＤカードに貼り付けられた無線タグと通信できるように画像形成装置の前面に配置されており、ユーザーによりＩＤカードの位置が異なることを考慮し所定の範囲内の無線タグと通信でき、通信はリーダライタと無線タグ、１対１で行うものとする。
【００８０】
［ユーザーが画像形成装置の操作をする際の動作］
図１２はユーザーが画像形成装置の操作をする際の動作を説明するフローチャートである。
【００８１】
画像形成装置の操作パネル近傍に配置された無線タグリーダライタは通信できる無線タグがないか、ＲＤ要求を出し、無線タグが応答するのをポーリングする（Ｓ１２０１）。無線タグの貼りつけられたＩＤカードを携帯したユーザーが画像形成装置の前に立つと、無線タグが応答する（Ｓ１２０２）。無線タグリーダライタは、無線タグに格納されたユーザーＩＤをＲＤする（Ｓ１２０３）。読み取られたユーザーＩＤから画像形成装置を操作するユーザーの国籍や、権限を判断する（Ｓ１２０４）。そしてアドレス帳を表示する際の階層をユーザーに関連するグループが上位になるように設定する（Ｓ１２０５）。ユーザーの国籍、権限に応じた言語モード、設定で操作パネルの画面表示を行う（Ｓ１２０６）。
【００８２】
図３２は、日本人のユーザーが画像形成装置を操作する際の操作画面の一例である。この例では、原稿のカラーを自動判別し、Ａ４Ｒサイズで等倍コピーを行う際の設定を示している。
【００８３】
図３３は、使用できる機能を制限されている日本人のユーザーが画像形成装置を操作する際の操作画面の一例である。この例では、送信や、環境設定などの機能は許可されずにモノクロのコピーのみを許可されたユーザーが操作する際のデフォルトの画面表示を示している。
【００８４】
図３４は、画像形成装置を使用するのにユーザー認証を行うようにした際の操作画面のデフォルトの画面表示の一例である。
【００８５】
このような場合、操作部からＩＤとパスワードを入力することにより使用を許可するようにしてもよいし、ユーザーが携帯したＩＤカードに貼り付けられた無線タグからユーザーＩＤを読み取ることで認証を行い、使用を許可するようにしてもよい。よりセキュリティを厳しくするには、操作部からの操作と、ＩＤカードの両方の条件が満たされないと使用を許可しないようにしてもよい。
【図面の簡単な説明】
【００８６】
【図１】画像形成装置全体のブロック図
【図２】画像形成装置のスキャナ部を示す図
【図３】画像形成装置のＩＰ部のブロック図
【図４】画像形成装置のＦＡＸ部のブロック図
【図５−１】画像形成装置のＮＩＣ部のブロック図
【図５−２】画像形成装置のコア部のブロック図
【図６】画像形成装置のプリンタＩＰ部を示す図
【図７】画像形成装置のＰＷＭ部のブロック図
【図８】画像形成装置のプリンタ部を示す図
【図９】画像形成装置のフィニッシャ部を示す図
【図１０】画像形成装置のディスプレイ部のブロック図
【図１１】無線タグのブロック図
【図１２】ユーザーが画像形成装置の操作をする際の動作を説明するフローチャート
【図１３】画像形成装置の操作部の構成を示す図
【図１４】操作部を示す図
【図１５】操作部を示す図
【図１６】操作部を示す図
【図１７】操作部を示す図
【図１８】操作部を示す図
【図１９】操作部を示す図
【図２０】操作部を示す図
【図２１】操作部を示す図
【図２２】操作部を示す図
【図２３】操作部を示す図
【図２４】操作部を示す図
【図２５】操作部を示す図
【図２６】操作部を示す図
【図２７】操作部を示す図
【図２８】操作部を示す図
【図２９】操作部を示す図
【図３０】操作部を示す図
【図３１】操作部を示す図
【図３２】操作部を示す図
【図３３】操作部を示す図
【図３４】操作部を示す図
【符号の説明】
【００８７】
１０１  スキャナ部
１０２  スキャナＩＰ部
１０３  ＦＡＸ部
１０４  ＮＩＣ部
１０５  専用Ｉ／Ｆ部
１０６  コア部
１０７  プリンタＩＰ部
１０８  ＰＷＭ部
１０９  プリンタ部
１１０  フィニッシャ部
２１２  ディスプレイ部
１８０  操作部
【図１】
2006250981.tif 000003
【図２】
2006250981.tif 000004
【図３】
2006250981.tif 000005
【図４】
2006250981.tif 000006
【図５−１】
2006250981.tif 000007
【図５−２】
2006250981.tif 000008
【図６】
2006250981.tif 000009
【図７】
2006250981.tif 000010
【図８】
2006250981.tif 000011
【図９】
2006250981.tif 000012
【図１０】
2006250981.tif 000013
【図１１】
2006250981.tif 000014
【図１２】
2006250981.tif 000015
【図１３】
2006250981.tif 000016
【図１４】
2006250981.tif 000017
【図１５】
2006250981.tif 000018
【図１６】
2006250981.tif 000019
【図１７】
2006250981.tif 000020
【図１８】
2006250981.tif 000021
【図１９】
2006250981.tif 000022
【図２０】
2006250981.tif 000023
【図２１】
2006250981.tif 000024
【図２２】
2006250981.tif 000025
【図２３】
2006250981.tif 000026
【図２４】
2006250981.tif 000027
【図２５】
2006250981.tif 000028
【図２６】
2006250981.tif 000029
【図２７】
2006250981.tif 000030
【図２８】
2006250981.tif 000031
【図２９】
2006250981.tif 000032
【図３０】
2006250981.tif 000033
【図３１】
2006250981.tif 000034
【図３２】
2006250981.tif 000035
【図３３】
2006250981.tif 000036
【図３４】
2006250981.tif 000037